(57)【要約】【課題】  制振機構の機能が損なわれることのないトラバースユニット保持機構を提供する。【解決手段】  ローダシャーシ１０と、トラバースユニット２０と、レバーシフト４０と、カム機構６０と、昇降ガイド７０と、レバーシフト４０に設けられた摺動部４５をローダシャーシ１０に設けられた基準面７５に押し付けてレバーシフト４０の横振れを抑制する制振機構８０と、を備える。制振機構８０が、柱状の樹脂成形体でなるばね受け体８１と、ばね受け体８１のばね受面８２を弾圧することにより摺動部４５を基準面７５に押し付けるばね体８５と、ばね受け体８１の反り変形幅をばね体８５による弾圧力Ｆ２が作用する範囲内に収めるための支持面８６と、を有する。【選択図】        図２
2011096344.tif 000002
【特許請求の範囲】
【請求項１】
ローダシャーシと、
ターンテーブルを装備するトラバースシャーシを有してそのトラバースシャーシの一端部が、その他端部を揺動中心として上記ローダシャーシに対して昇降されるトラバースユニットと、
上記トラバースシャーシの一端部に取り付けられたレバーシフトと、
このレバーシフトを上記トラバースシャーシの一端部と共に昇降させるカム機構と、
上記ローダシャーシに設けられて上記レバーシフトの昇降を案内する昇降ガイドと、
上記レバーシフトに設けられた摺動部を上記ローダシャーシに設けられた基準面に押し付けて上記レバーシフトの横振れを抑制する制振機構と、を備え、
上記制振機構が、
上記ローダシャーシに立設された柱状の樹脂成形体でなるばね受け体と、
上記レバーシフトに設けられて上記ばね受け体に備わっているばね受面を弾圧することにより上記摺動部を上記基準面に押し付けるばね体と、
上記ローダシャーシに設けられて、上記ばね受け体を支えることによりそのばね受け体の反り変形幅を上記ばね体による弾圧力が作用する範囲内に収めるための支持面と、
を有することを特徴とするディスク装置のトラバースユニット保持機構。
【請求項２】
上記ばね受け体は、常温環境下では、上記ばね体による弾圧力によって反り変形を起こさない強度を有する請求項１に記載したディスク装置のトラバースユニット保持機構。
【請求項３】
反り変形を起こしていない上記ばね受け体と上記支持面との間に隙間が形成されている請求項１又は請求項２に記載したディスク装置のトラバースユニット保持機構。
【請求項４】
上記昇降ガイドは、上記レバーシフトの幅方向両端に各別に設けられた凸条が摺動自在に嵌合される一対のガイド溝でなり、これらのガイド溝のうちの一方側ガイド溝の溝底面が上記基準面として形成され、かつ、当該一方側ガイド溝に嵌合された一方側の上記凸条が上記摺動部として形成されている請求項１ないし請求項３のいずれか１項に記載したディスク装置のトラバースユニット保持機構。
【請求項５】
上記ばね体が、樹脂成形体でなる上記レバーシフトと共に一体成形された片持ち板片状の樹脂ばねでなる請求項１ないし請求項４のいずれか１項に記載したディスク装置のトラバースユニット保持機構。
【請求項６】
柱状の上記ばね受け体が、上記レバーシフトに形成された溝形凹所に挿入されていて、上記支持面が、その溝形凹所の壁面によって形成されている請求項１ないし請求項５のいずれか１項に記載したディスク装置のトラバースユニット保持機構。
【発明の詳細な説明】
【技術分野】
【０００１】
本発明は、ローダシャーシの内部に搬入されたディスクをチャッキングしたり、そのチャッキング状態を解除したりするときに昇降されるトラバースユニット及びレバーシフトが、横方向にがたついたり振動したりする現象である横振れ現象を抑制するための対策が講じられているディスク装置のトラバースユニット保持機構に関する。
【背景技術】
【０００２】
図５はディスク装置におけるディスクのチャッキングモードでの概略縦断側面図であり、図６は同チャッキング解除モードでの概略縦断側面図である。
【０００３】
図５及び図６に示したディスク装置は、ローダシャーシ１０と、トラバースユニット２０と、レバーシフト４０と、カム機構６０と、を有するほか、図５及び図６には図示していない昇降ガイドや制振機構などを備えている。
【０００４】
トラバースユニット２０は、モータ２１によって回転駆動されるターンテーブル２２と、このモータ２１及びターンテーブル２２を装備しているトラバースシャーシ２５とを備えている。トラバースシャーシ２５は、その一端部に制振ゴムなどでなる弾性緩衝体２６を介してレバーシフト４０がビス止めされているのに対し、その他端部が、弾性緩衝体２７を介してローダシャーシ１０にビス止めされている。そして、この構成により、トラバースシャーシ２５は、他端部のビス止め箇所を揺動中心としてその一端部がローダシャーシ１０に対して上下に昇降可能になっている。
【０００５】
カム機構６０は、傾斜したカム溝を有するカムスライダ６１と、このカムスライダ６１のカム溝に摺動自在に案内されるカムピン６２と、カムスライダ６１を横方向にスライドさせるためのギヤ機構６３などを有し、カムピン６２が上記レバーシフト４０に設けられている。このカム機構６０によると、カムスライダ６１が横方向に往復スライドすると、カムピン６２がカム溝により案内されて、レバーシフト４０及びトラバースシャーシ２５の一端部を伴って上下に昇降し、そのときのレバーシフト４０の上下の昇降が上記昇降ガイドによって案内される。
【０００６】
図５及び図６に示したディスク装置には制振機構が備わっていて、その制振機構の作用によって、レバーシフト４０及びトラバースユニット２０が上下の昇降時に横方向にがたついたり振動したりする現象である横振れ現象が抑制されるようになっている。
【０００７】
図５に示したチャッキングモードでは、カム機構６０の作用でレバーシフト４０がトラバースユニット２０を伴って矢印ａのように上昇している。そして、ターンテーブル２２が、ローダシャーシ１０側のクランパプレート１２に保持されているクランパ１３と共働してディスクＤを挟持している。ディスクＤは、この状態でターンテーブル２２と共に回転し、その回転中にトラバースユニット２０に搭載されている光ピックアップ（不図示）の作用で記録面が光学的に処理される。
【０００８】
図６に示したチャッキング解除モードでは、カム機構６０の作用でレバーシフト４０がトラバースユニット２０を伴って矢印ｂのように下降している。このため、ターンテーブル２２がクランパ１３から遠ざかっている。ディスクＤは、このチャッキング解除モードが設定されているときに、ディスクトレイ（不図示）によって、又は、給排ローラ（不図示）によって、矢印Ｘのようにローダシャーシ１０の内部と外部との間で搬入出される。
【０００９】
図７は従来例としてのトラバースユニット保持機構の要部を一部切欠して示した縦断正面図であり、同図にはトラバースユニット保持機構の昇降ガイド７０を形成している一方側ガイド溝７１と、制振機構８０とが示されている。
【００１０】
昇降ガイド７０の一方側ガイド溝７１は、ローダシャーシ１０に設けられていて、レバーシフト４０の幅方向一端側に設けられた凸条４１が上下に摺動自在に嵌合されている。昇降ガイド７０は、レバーシフト４０を挟む両側でローダシャーシ１０に設けられているのであって、上記した一方側ガイド溝７１と図示していない他方側ガイド溝との一対のガイド溝でなる。そして、一方側ガイド溝７１の溝底面７３が、レバーシフト４０が昇降するときの上下に延びる平坦な基準面７５として形成されていて、その基準面７５の相手方である摺動部４５が、上記したレバーシフト４０の幅方向一端側に設けられた凸条４１によって形成されている。
【００１１】
制振機構８０は、レバーシフト４０に設けられた上記摺動部４５をローダシャーシ１０に設けられた上記基準面７５に押し付けてレバーシフト４０の横振れを抑制する作用を発揮する。図７に示した制振機構８０は、ローダシャーシ１０に立設された柱状の樹脂成形体でなるばね受け体８１と、レバーシフト４０に一体成形された樹脂ばねでなるばね体８５とを有していて、ばね体８５がばね受け体８１に備わっているばね受面８２を矢印Ｆ１（弾圧力Ｆ１）のように弾圧することにより、その反力で、上記摺動部４５を上記基準面７５に矢印Ｆ２（反力Ｆ２）のように押し付けるようになっている。
【００１２】
制振機構８０が上記のように構成されていると、摺動部４５がばね力によって常時基準面７５に弾性的に押し付けられていることにより、レバーシフト４０やそのレバーシフト４０が連結されている上記トラバースユニット２０の横振れがばね体８５により吸収されて抑制される。そのため、ディスクチャッキング動作中のトラバースユニット２０のがたつきや、ディスクの高速回転時の振動によるびびり音が生じにくくなるという作用が発揮される。
【００１３】
一方、先行例では、トラバースユニットのがたつき防止機構に関して、トラバースホルダーに形成したリブに樹脂ばねの付勢力を作用させるという対策が提案されている（たとえば、特許文献１参照）。他の先行例では、ローダシャーシの側枠部の内面に合成樹脂製のバネ片を形成し、レバーシフトの側面に上記バネ片に圧接する制動用突起を形成することによって、レバーシフトとボトムシャーシとの衝突を防ぐことが提案されている（たとえば、特許文献２参照）。さらに他の先行例では、ローダシャーシに設けた振動抑制溝に、トラバースシャーシに設けた樹脂バネを嵌め込むことによって振動を防止するという提案がなされている（たとえば、特許文献３参照）。
【先行技術文献】
【特許文献】
【００１４】
【特許文献１】特開２００６−１２７６５９号公報
【特許文献２】特開２００８−３４０４６号公報
【特許文献３】特開２００６−２４３１９号公報
【発明の概要】
【発明が解決しようとする課題】
【００１５】
図５〜図７を参照して説明した従来例としてのトラバースユニット保持機構にあっては、制振機構８０を構成している柱状のばね受け体８１が、レバーシフト４０に一体成形されたばね体８５の弾圧力Ｆ１を受け止めるように構成されている。そして、そのばね受け体８１がローダシャーシ１０と共に樹脂で一体成形されている。そのため、ディスク装置をコンテナ輸送したり気温の高い場所に貯蔵したりしてばね受け体８１の温度が高くなったようなときには、樹脂成形体でなる当該ばね受け体８１の剛性が低下することがある。同様の状況は、ディスク装置の使用中に、ＩＣなどの発熱部品の発熱の影響がばね受け体８１に及ぶことによっても起こり得る。このように樹脂成形体でなるばね受け体８１の剛性が低下するという状況が生じると、場合によっては、レバーシフト４０側のばね体８５の弾圧力Ｆ１でばね受け体８１がその弾圧力Ｆ１の作用方向に反り変形してしまって、レバーシフト４０の摺動部４５を基準面７５に押し付けている反力Ｆ２が失われてしまうという事態が起こり得る。また、高温環境下でばね受け体８１が永久変形してしまって上記反力Ｆ２が失われてしまうという事態の起こることも考えられる。
【００１６】
そのため、従来例としてのトラバースユニット保持機構には、その制振機構８０のばね受け体８１の剛性が低下して上記反力Ｆ２が失われてしまい、その結果として、トラバースユニット２０やレバーシフト４０が横方向にがたついたり振動したりするようになって、制振機構８０の機能が損なわれるおそれがあるという問題があった。
【００１７】
本発明はこの問題を改善するためになされたものであって、図５〜図７を参照して説明した従来例としてのトラバースユニット保持機構の構成を、部品を追加することなく改変することによって、仮に制振機構のばね受け体の剛性が低下したとしても、その制振機構の機能が損なわれることのないディスク装置のトラバースユニット保持機構を提供することを目的とする。
【課題を解決するための手段】
【００１８】
本発明に係るディスク装置のトラバースユニット保持機構は、ローダシャーシと、  ターンテーブルを装備するトラバースシャーシを有してそのトラバースシャーシの一端部が、その他端部を揺動中心として上記ローダシャーシに対して昇降されるトラバースユニットと、上記トラバースシャーシの一端部に取り付けられたレバーシフトと、このレバーシフトを上記トラバースシャーシの一端部と共に昇降させるカム機構と、上記ローダシャーシに設けられて上記レバーシフトの昇降を案内する昇降ガイドと、上記レバーシフトに設けられた摺動部を上記ローダシャーシに設けられた基準面に押し付けて上記レバーシフトの横振れを抑制する制振機構と、を備えている。
【００１９】
そして、上記制振機構が、上記ローダシャーシに立設された柱状の樹脂成形体でなるばね受け体と、上記レバーシフトに設けられて上記ばね受け体に備わっているばね受面を弾圧することにより上記摺動部を上記基準面に押し付けるばね体と、上記ローダシャーシに設けられて、上記ばね受け体を支えることによりそのばね受け体の反り変形幅を上記ばね体による弾圧力が作用する範囲内に収めるための支持面と、を有する。
【００２０】
この構成であると、柱状の樹脂成形体でなるばね受け体がレバーシフト側のばね体の弾圧力を受けて反り変形を起こしたときには、ばね受け体がローダシャーシに設けられている支持面により受け止められて、ばね受け体の反り変形幅がばね体による弾圧力が作用する範囲内に収まる。そのため、レバーシフトの摺動部を基準面に押し付けている反力が失われてしまうという事態が生じなくなり、制振機構の機能が損なわれることがなくなる。
【００２１】
本発明において、上記ばね受け体は、常温環境下では、上記ばね体による弾圧力によって反り変形を起こさない強度を有することが望ましい。
【００２２】
また、反り変形を起こしていない上記ばね受け体と上記支持面との間に隙間が形成されていることが望ましい。この構成であると、ディスクのチャッキングモードやチャッキング解除モードが設定されたときのレバーシフトの昇降時にばね受け体と支持面との間に摺動摩擦抵抗が発生しないため、その昇降のための動力源の負荷が増大しない。
【００２３】
本発明において、上記昇降ガイドは、上記レバーシフトの幅方向両端に各別に設けられた凸条が摺動自在に嵌合される一対のガイド溝でなり、これらのガイド溝のうちの一方側ガイド溝の溝底面が上記基準面として形成され、かつ、当該一方側ガイド溝に嵌合された一方側の上記凸条が上記摺動部として形成されている、という構成を採用することが可能である。また、上記ばね体が、樹脂成形体でなる上記レバーシフトと共に一体成形された片持ち板片状の樹脂ばねでなる、という構成を採用することが可能である。
【００２４】
さらに、本発明では、柱状の上記ばね受け体が、上記レバーシフトに形成された溝形凹所に挿入されていて、上記支持面が、その溝形凹所の壁面によって形成されている、という構成を採用することが可能である。これによれば、溝形凹所を形成している部分の肉厚を厚くしてその壁面をばね受け体に近付けるという対策を講じるだけで、部品を追加することなく、支持面を形成することができるという利点がある。
【発明の効果】
【００２５】
以上のように、本発明によれば、仮に制振機構のばね受け体の剛性が低下したとしても、その制振機構の機能が損なわれることのないトラバースユニット保持機構を提供することが可能になる。したがって、高温貯蔵時などに柱状の樹脂成形体でなるばね受け体が反り変形を生じたとしても、その後の使用によってレバーシフトやトラバースユニットががたついたりすることが抑制され、また、ディスクの高速回転時の振動によるびびり音の発生も抑制することができるようになって、動作品位の高いディスク装置を提供することが可能になる。
【図面の簡単な説明】
【００２６】
【図１】本発明の実施形態によるトラバースユニット保持機構の要部の概略平面図である。
【図２】トラバースユニット保持機構の要部を一部切欠して示した縦断正面図である。
【図３】図２のＩＩＩ部拡大図である。
【図４】支持面の作用を示した図３に相応する拡大図である。
【図５】ディスク装置におけるディスクのチャッキングモードでの概略縦断側面図である。
【図６】同チャッキング解除モードでの概略縦断側面図である。
【図７】従来例としてのトラバースユニット保持機構の要部を一部切欠して示した縦断正面図である。
【発明を実施するための形態】
【００２７】
図１は本発明の実施形態によるトラバースユニット保持機構の要部の概略平面図である。図２はトラバースユニット保持機構の要部を一部切欠して示した縦断正面図である。さらに、図３は図２のＩＩＩ部拡大図であり、図４は支持面８２の作用を示した図３に相応する拡大図である。以下、図５や図６をも参照しながら実施形態によるトラバースユニット保持機構を備えたディスク装置を説明する。
【００２８】
実施形態によるトラバースユニット保持機構が適用されるディスク装置の構成は、図５又は図６を参照して説明したディスク装置の構成と略同様である。すなわち、ローダシャーシ１０、トラバースユニット２０、レバーシフト４０のほか、図５又は図６に示したカム機構６０、一対のガイド溝７１，７２でなる昇降ガイド７０、制振機構８０などを備えている。このうち、ローダシャーシ１０、トラバースユニット２０のトラバースシャーシ２５、レバーシフト４０、昇降ガイド７０及び制振機構８０が図１に示されている。
【００２９】
図１、図５又は図６のように、トラバースユニット２０のトラバースシャーシ２５は、モータ２１とモータ２１によって回転駆動されるターンテーブル２２とを装備している。また、トラバースシャーシ２５は、その一端部に制振ゴムなどでなる弾性緩衝体２６を介してレバーシフト４０が２箇所で止めビス２８を用いてビス止めされているのに対し、その他端部が、弾性緩衝体２７を介してローダシャーシ１０に止めビス２９を用いてビス止めされている。この構成により、トラバースシャーシ２５は、他端部のビス止め箇所を揺動中心としてその一端部がローダシャーシ１０に対して上下に昇降可能になっている。
【００３０】
図５又は図６のように、カム機構６０は、傾斜したカム溝を有するカムスライダ６１と、このカムスライダ６１のカム溝に摺動自在に案内されるカムピン６２と、カムスライダ６１を横方向にスライドさせるためのギヤ機構６３などを有し、カムピン６２がレバーシフト４０に設けられている（図１参照）。このカム機構６０において、カムスライダ６１が横方向に往復スライドすると、カムピン６２がカム溝により案内されて、レバーシフト４０及びトラバースシャーシ２５の一端部を伴って上下に昇降し、そのときのレバーシフト４０の上下の昇降が、図１又は図２に示した一対のガイド溝７１，７２でなる昇降ガイド７０によって案内される。
【００３１】
図１又は図２のように、昇降ガイド７０の一方側ガイド溝７１は、ローダシャーシ１０に設けられていて、レバーシフト４０の幅方向一端側に設けられた凸条４１が上下に摺動自在に嵌合されている。昇降ガイド７０はレバーシフト４０を挟む両側でローダシャーシ１０に設けられているのであって、上記した一方側ガイド溝７１と他方側ガイド溝７２との一対のガイド溝でなる。そして、一方側ガイド溝７１の上下に延びる平坦な溝底面７３が、レバーシフト４０が昇降するときの基準面７５として形成されていて、その基準面７５の相手方である摺動部４５が、上記したレバーシフト４０の幅方向一端側に設けられた凸条４１によって形成されている。図１において、４２は他方側ガイド溝７２に上下に摺動自在に嵌合されている凸条を示している。
【００３２】
制振機構８０は、レバーシフト４０及びトラバースユニット２０が上下の昇降時に横方向にがたついたり振動したりする現象である横振れ現象を抑制する作用を発揮する。次にこの制振機構８０を図１〜図４を参照して説明する。
【００３３】
制振機構８０は、レバーシフト４０に設けられた上記摺動部４５をローダシャーシ１０に設けられた上記基準面７３に押し付けてレバーシフト４０の横振れ（がたつきや振動）を抑制する作用を発揮する。この制振機構８０は、ローダシャーシ１０に立設された柱状の樹脂成形体でなるばね受け体８１と、レバーシフト４０に一体成形された樹脂ばねでなるばね体８５とを有していて、ばね体８５がばね受け体８１に備わっているばね受面８２を矢印Ｆ１（弾圧力Ｆ１）のように弾圧することにより、その反力で、摺動部４５を基準面７５に矢印Ｆ２（反力Ｆ２）のように常時押し付けるようになっている。ばね体８５は、樹脂成形体でなるレバーシフト４０と共に一体成形された片持ち板片状の樹脂ばねでなる。また、ばね受け体８１は、常温環境下では、ばね体８５による弾圧力によって反り変形を起こさない強度を有している。
【００３４】
制振機構８０が上記のように構成されていると、摺動部４５が上記反力Ｆ２によって常時基準面７５に弾性的に押し付けられていることにより、レバーシフト４０やそのレバーシフト４０が連結されているトラバースユニット２０の横振れがばね体８５により吸収されて抑制される。そのため、ディスクチャッキング動作中のトラバースユニット２０のがたつきや、ディスクの高速回転時の振動によるびびり音が生じにくくなるという作用が発揮される。
【００３５】
この実施形態の制振機構８０では、特に、次に説明する対策を講じてある。すなわち、制振機構８０が、上記したばね受け体８１及びばね体８５のほかに、ばね受け体８１の反り変形幅を規制する支持面８６を有している。この実施形態では、柱状の上記ばね受け体８１が、レバーシフト４０に形成されている溝形凹所４６（図１〜図４参照）に挿入されていて、上記支持面８６が、その溝形凹所４６の形成箇所を厚肉化することにより上記ばね受け体８１に近付けられた壁部の壁面によって形成されている。また、図３のように、反り変形を起こしていないばね受け体８１と支持面８６との間に狭い隙間Ｓが形成されている。この隙間Ｓの広さは、図４のように反り変形したばね受け体８１を支えることにより、そのばね受け体８１の反り変形幅をばね体８５による弾圧力が作用する範囲内に収めることのできる広さに定められている。
【００３６】
制振機構８０が上記構成を有していると、高温貯蔵時などに仮に樹脂成形体でなるばね受け体８１がばね体８５の弾圧力Ｆ１を受けて反り変形したときには、支持面８６とばね受け体８１との相互間の隙間Ｓが詰まって、図４のようにばね受け体８１の反り変形幅が支持面８６によって規制される。したがって、ばね受け体８１の反り変形幅は、隙間Ｓの広さよりも大きくなることはない。そして、支持面８６によって規制されるばね受け体８１の反り変形幅は、上記したようにばね体８５による弾圧力Ｆ１が当該ばね受け体８１に作用する範囲内に収まるので、ばね受け体８１が反り変形しているとしても、その反力Ｆ２で摺動部４５が基準面７５に常時押し付けられる。したがって、レバーシフト４０やトラバースユニット２０の横振れが抑制（吸収）されてそれらが横方向にがたついたり振動してびびり音を生じることも抑制される。
【００３７】
チャッキングモードやチャッキング解除モードが設定されてレバーシフト４０が昇降するときには、ばね体８５がばね受け体８１のばね受け面８２と摺動する。なお、図３及び図４では、レバーシフト４０の上昇位置を示している。
【００３８】
チャッキングモードやチャッキング解除モードが設定されたときの動作は図５又は図６を参照して既述したところと同様である。
【００３９】
なお、図１〜図７においては、説明の便宜上、同一又は相応する要素には同一の符号を用いた。
【符号の説明】
【００４０】
１０  ローダシャーシ
２０  トラバースユニット
２２  ターンテーブル
２５  トラバースシャーシ
４０  レバーシフト
４１，４２  凸条
４５  摺動部
４６  溝形凹所
６０  カム機構
７０  昇降ガイド
７１，７２  ガイド溝
７５  基準面
８０  制振機構
８１  ばね受け体
８２  ばね受面
８５  ばね体
８６  支持面
Ｓ  隙間
【図１】
2011096344.tif 000003
【図２】
2011096344.tif 000004
【図３】
2011096344.tif 000005
【図４】
2011096344.tif 000006
【図５】
2011096344.tif 000007
【図６】
2011096344.tif 000008
【図７】
2011096344.tif 000009